(57)【要約】【課題】密閉型圧縮機の起動装置の消費電力を低減し、さらに高い信頼性を備え、安価な密閉型圧縮機の起動装置を提供する。【解決手段】正特性サーミスタの代わりに、常温時の正特性サーミスタの抵抗値と、同等の抵抗１２１を入れ、さらにインターナルオーバロードプロテクター１１１を使用することで、モータ１０７の設計を変更することなく従来のモータ１０７のままで、安価な密閉型圧縮機の起動装置１０を提供するとともに、より安全性の高い密閉型圧縮機の起動装置を提供することができる。【選択図】図１
2012222839.tif 000002
【特許請求の範囲】
【請求項１】
交流電源によって通電される主巻線及び補助巻線を有する密閉型圧縮機において、ケーシングと、前記補助巻線に直列に接続された抵抗と、前記抵抗と並列に接続された正特性サーミスタと、前記補助巻線及び抵抗の直列回路と直列に接続され、前記正特性サーミスタからの熱を感知してこれが設定温度になるとオフするスナップアクションバイメタルを備え、モータの巻線近傍に取り付けられるインターナルオーバロードプロテクターと組み合わせた密閉型圧縮機の起動装置。
【請求項２】
前記スナップアクションバイメタルの代替として、トライアックを使用した請求項１に記載の密閉型圧縮機の起動装置。
【請求項３】
前記抵抗を省いた、請求項１または２のいずれか一項に記載の密閉型圧縮機の起動装置。
【請求項４】
交流電源によって通電される主巻線及び補助巻線を有する密閉型圧縮機において、ケーシングと、前記補助巻線と直列に接続された自己発熱・自己復帰スナップアクションバイメタルを備え、モータの巻線近傍に取り付けられるインターナルオーバロードプロテクターと組み合わせた密閉型圧縮機の起動装置。
【発明の詳細な説明】
【技術分野】
【０００１】
本発明は、冷蔵庫等に搭載される密閉型圧縮機の起動装置に関するものである。
【背景技術】
【０００２】
従来、この種の密閉型圧縮機の起動装置は、正特性サーミスタと補助正特性サーミスタ、及びスナップアクションバイメタルを使用したものが一般的である（例えば、特許文献１参照）。
【０００３】
以下、図面を参照しながら上記従来の密閉型圧縮機の起動装置を説明する。
【０００４】
図４は、特許文献１に記載された従来の密閉型圧縮機の起動装置の構成を示す図、図５は、同文献１に記載された従来の密閉型圧縮機の起動装置の回路図である。
【０００５】
図４、図５において、起動装置１とオーバロードプロテクター１１は、密閉形圧縮機３のシェル５のピン端子９に取り付けられ、カバー１３により保護される。該密閉型圧縮機３の内部には、モータ７が収容されている。電源端子５３、５５は、単相交流電源５１に接続されており、更に、その一方の電源端子５３は、運転スイッチ５９及びオーバロードプロテクター１１を直列に介して電源線５７に接続され、他方の電源端子５５は、電源線６１に接続されている。オーバロードプロテクター１１は、バイメタル４１と、該バイメタル４１を加熱するヒータ４３とから成り、モータ７に過負荷が掛かると、ヒータ４３の発熱により、バイメタル４１が電流を遮断し、電流の遮断により、常温まで温度が下がると、バイメタル４１が自動復帰して通電を再開する。
【０００６】
モータ７は、主巻線７Ｍ及び補助巻線７Ｓを有するもので、その主巻線７Ｍは、電源線５７、６１間に接続され、補助巻線７Ｓの一方の端子は、電源線５７に接続されている。このモータ７は、密閉形圧縮機３を駆動するようになっている。そして、運転スイッチ５９は、例えば、図示しない温度制御装置によってオン、オフされるもので、冷蔵庫内の温度が、上限温度になるとオンし、下限温度になるとオフするようになっている。
【０００７】
補助巻線７Ｓの他方の端子は、正特性サーミスタ２１及び常閉形のスナップアクションバイメタル２５の直列回路を介して電源線６１に接続されている。そして、正特性サーミスタ２１及びスナップアクションバイメタル２５と並列に、補助正特性サーミスタ２３が接続されている。
【０００８】
ここで、正特性サーミスタ２１及び補助正特性サーミスタ２３は、例えば、チタン酸バリウムを主成分とした酸化物半導体セラミックで構成され、キュリー温度をもち、電気抵抗値がこのキュリー温度から急激に増大する特性を有する。正特性サーミスタ２１は、例えば、常温では５Ω程度，２１０℃では０．１ｋΩ程度，２３０℃では１ｋΩ〜１０ｋΩ程度になる。補助正特性サーミスタ２３は、正特性サーミスタ２１より高い抵抗値を有し、１／３〜１／１０の消費電力となるように、熱容量が１／３〜１／１０に設定されている。そして、スナップアクションバイメタル２５は、補助正特性サーミスタ２３の発生熱を感知してオン，オフするようになっており、感知熱が、例えば、設定温度２３０℃になるとオフ動作するようになっている。
【０００９】
以上のように構成された密閉型圧縮機の起動装置について、以下その動作、作用を説明する。
【００１０】
運転スイッチ５９がオンされると、運転スイッチ５９及びオーバロードプロテクター１１を介して主巻線７Ｍに起動電流が流れる。又、正特性サーミスタ２１は常温では低電気抵抗値を呈しているので、補助巻線７Ｓ、正特性サーミスタ２１及びスナップアクションバイメタル２５の直列回路と補助正特性サーミスタ２３の並列回路は、とにも起動電流が流れ、モータ７は起動する。
【００１１】
正特性サーミスタ２１に補助巻線７Ｓの起動電流が流れると、正特性サーミスタ２１、補助正特性サーミスタ２３は、自己発熱して電気抵抗値が急激に増大する。そして、数秒後に、正特性サーミスタ２１、補助正特性サーミスタ２３は、２３０℃の温度に達し、この時の正特性サーミスタ２１の電気抵抗値は、例えば、１ｋΩ〜１０ｋΩになり、スナップアクションバイメタル２５に流れる電流は減少する。補助正特性サーミスタ２３が２３０℃の温度に達すると、スナップアクションバイメタル２５がこれを感知してオフ動作するようになり、正特性サーミスタ２１及びスナップアクションバイメタル２５の直列回路には電流が流れなくなる。そして、モータ７の起動が完了し、定常運転を行なうようになる。
【００１２】
スナップアクションバイメタル２５がオフされると、補助正特性サーミスタ２３側にのみ電流が流れるようになって発熱し、その発生熱により、スナップアクションバイメタル２５がオフ状態に保持される。
【００１３】
したがって、モータ７の定常運転中、正特性サーミスタ２１には電流は流れず、代りに、補助正特性サーミスタ２３側に電流が流れるようになる。この補助正特性サーミスタ２３に流れる電流は、補助正特性サーミスタ２３にスナップアクションバイメタル２５をオフ状態に保持するための熱を発生させる程度の極めて小なるものであり、補助正特性サーミスタ２３による消費電力は、従来の正特性サーミスタの消費電力よりも極めて少ない。
【００１４】
また、モータ７の定常運転中に、熱容量の大きな正特性サーミスタ２１は冷却して常温になっている。一方、補助正特性サーミスタ２３は、熱容量が小さいため、冷却が早い。従って、モータ７の停止直後に再起動する際にも、補助正特性サーミスタ２３は直ぐ常温近くまで冷却されるため、再起動が可能になるまでの時間は数秒から数十秒と非常に早く、従来技術のようにオーバロードプロテクターが作動、復帰を繰り返すことなく速やかに再起動することができる。
【先行技術文献】
【特許文献】
【００１５】
【特許文献１】特開２００５−７３３３０号公報
【発明の概要】
【発明が解決しようとする課題】
【００１６】
しかしながら上記従来の構成では、補助正特性サーミスタ２３、スナップアクションバイメタル２５が新規部品となっているため、コストが高くなってしまうという課題を有していた。
【００１７】
本発明は、上記従来の課題を解決するもので、正特性サーミスタの代わりに、常温時の正特性サーミスタの抵抗値と同等の抵抗を入れ、さらにインターナルオーバロードプロテクターを使用したもので、モータの設計を変更することなく、従来のモータのままで、安価な密閉型圧縮機の起動装置を提供するとともに、より安全性の高い密閉型圧縮機の起動装置を提供することを目的とする。
【課題を解決するための手段】
【００１８】
上記従来の課題を解決するために、本発明の密閉型圧縮機の起動装置は、正特性サーミスタの代わりに、常温時の正特性サーミスタの抵抗値と同等の抵抗を入れ、さらにインターナルオーバロードプロテクターを使用したものである。これにより、モータの設計を変更することなく従来のモータのままで、安価な起動装置を使用でき、万が一、起動装置が故障した場合においても、インターナルオーバロードプロテクターが安全性を確保するという作用を有する。
【発明の効果】
【００１９】
本発明の密閉型圧縮機の起動装置は、正特性サーミスタの代わりに、常温時の正特性サーミスタの抵抗値と、同等の抵抗を入れたので、安価な起動装置を提供でき、また、インターナルオーバロードプロテクターと組み合わせることにより、安全性を確保することができる。
【図面の簡単な説明】
【００２０】
【図１】本発明の実施の形態１における密閉型圧縮機の起動装置の回路図
【図２】本発明の実施の形態２における密閉型圧縮機の起動装置の回路図
【図３】本発明の実施の形態３における密閉型圧縮機の起動装置の回路図
【図４】従来の密閉型圧縮機の起動装置の構成を示す図
【図５】従来の密閉型圧縮機の起動装置の回路図
【発明を実施するための形態】
【００２１】
請求項１に記載の発明は、交流電源によって通電される主巻線及び補助巻線を有する密閉型圧縮機において、ケーシングと、前記補助巻線に直列に接続された抵抗と、前記抵抗と並列に接続された正特性サーミスタと、前記補助巻線及び抵抗の直列回路と直列に接続され、前記正特性サーミスタからの熱を感知してこれが設定温度になるとオフするスナップアクションバイメタルを備え、モータの巻線近傍に取り付けられるインターナルオーバロードプロテクターと組み合わせたものである。
【００２２】
これによって、従来使用していた正特性サーミスタの代わりに、常温時の正特性サーミスタの抵抗値と同等の抵抗を入れ、さらにインターナルオーバロードプロテクターを使用することにより、モータの設計を変更することなく従来のモータのままで、安価な起動装置を提供するとともに、より安全性の高い密閉型圧縮機の起動装置を提供することができる。
【００２３】
請求項２に記載の発明は、請求項１に記載の発明において、前記スナップアクションバイメタルの代替として、トライアックを使用したものである。
【００２４】
これによって、接点を持たないトライアックを使用することで、請求項１に記載の発明の効果に加えて、さらに信頼性を高くすることができる。
【００２５】
請求項３に記載の発明は、請求項１または２に記載の発明において、前記抵抗を省いたものである。
【００２６】
これによって、部品点数の削減が図れ、請求項１または請求項２に記載の発明の効果に加えて、さらに生産性が高く、安価な密閉型圧縮機の起動装置を提供することができる。
【００２７】
請求項４に記載の発明は、交流電源によって通電される主巻線及び補助巻線を有する密閉型圧縮機において、ケーシングと、前記補助巻線と直列に接続された自己発熱・自己復帰スナップアクションバイメタルを備え、モータの巻線近傍に取り付けられるインターナルオーバロードプロテクターと組み合わせたものである。
【００２８】
これによって、従来使用していた正特性サーミスタと補助正特性サーミスタを省くことができ、部品点数の削減がはかれ、さらに生産性が高く、安価な密閉型圧縮機の起動装置を提供することができる。
【００２９】
以下、本発明の実施の形態について、図面を参照しながら説明する、なお、この実施の形態によってこの発明が限定されるものではない。
【００３０】
（実施の形態１）
図１は、本発明の実施の形態１における密閉型圧縮機の起動装置の回路図である。
【００３１】
図１において、電源端子１５３、１５５は、単相交流電源１５１に接続されており、更に、その一方の電源端子１５３は、運転スイッチ１５９を直列に介して電源線１５７に接続され、他方の電源端子１５５は、電源線１６１に接続されている。
【００３２】
モータ１０７は、主巻線１０７Ｍ及び補助巻線１０７Ｓを有するもので、その主巻線１０７Ｍは、インターナルオーバロードプロテクター１１１を直列に介して電源線１５７，１６１間に接続され、補助巻線１０７Ｓの一方の端子は、インターナルオーバロードプロテクター１１１を直列に介して電源線１５７に接続されている。
【００３３】
インターナルオーバロードプロテクター１１１は、バイメタル１４１と、該バイメタル１４１を加熱するヒータ１４３とから成り、モータ１０７に過負荷が掛かると、ヒータ１４３の発熱と、モータ１０７の主巻線１０７Ｍ及び補助巻線１０７Ｓの発熱により、バイメタル１４１が電流を遮断する。そして、電流の遮断により常温まで温度が下がると、バイメタル１４１が自動復帰して通電を再開する。このモータ１０７は、密閉形圧縮機を駆動するようになっている。そして、運転スイッチ１５９は、例えば、図示しない温度制御装置によってオン、オフされるもので、冷蔵庫内の温度が、上限温度になるとオンし、下限温度になるとオフするようになっている。
【００３４】
補助巻線１０７Ｓの他方の端子は、抵抗１２１及び常閉形のスナップアクションバイメタル１２５の直列回路を介して電源線１６１に接続されている。そして、抵抗１２１及びスナップアクションバイメタル１２５と並列に、補助正特性サーミスタ１２３が接続されている。ここで、補助正特性サーミスタ１２３は、例えば、チタン酸バリウムを主成分とした酸化物半導体セラミックで構成され、キュリー温度をもち、電気抵抗値がこのキュリー温度から急激に増大する特性を有する。
【００３５】
そして、スナップアクションバイメタル１２５は、補助正特性サーミスタ１２３の発生熱を感知してオン，オフするようになっており、感知熱が、例えば、設定温度２３０℃になるとオフ動作するようになっている。
【００３６】
以上のように構成された密閉型圧縮機の起動装置について、以下その動作、作用を説明する。
【００３７】
運転スイッチ１５９がオンされると、運転スイッチ１５９及びインターナルオーバロードプロテクター１１１を介して主巻線１０７Ｍに起動電流が流れる。又、抵抗１２１は、常温では低電気抵抗値を呈しているので、補助巻線１０７Ｓ、抵抗１２１及びスナップアクションバイメタル１２５の直列回路と、補助正特性サーミスタ１２３の並列回路に起動電流が流れ、モータ１０７は起動する。
【００３８】
補助正特性サーミスタ１２３に補助巻線１０７Ｓの起動電流が流れると、補助正特性サ
ーミスタ１２３は、自己発熱して電気抵抗値が急激に増大する。そして、数秒後に、補助正特性サーミスタ１２３は２３０℃の温度に達し、スナップアクションバイメタル１２５がこれを感知してオフ動作する。これにより、抵抗１２１及びスナップアクションバイメタル１２５の直列回路には電流が流れなくなり、その結果、モータ１０７の起動が完了し、定常運転を行なうようになる。
【００３９】
スナップアクションバイメタル１２５がオフされると、補助正特性サーミスタ１２３側にのみ電流が流れるようになって発熱し、その発生熱により、スナップアクションバイメタル１２５がオフ状態に保持される。
【００４０】
したがって、モータ１０７の定常運転中には、抵抗１２１には電流は流れず、代りに、補助正特性サーミスタ１２３側に電流が流れるようになる。この補助正特性サーミスタ１２３に流れる電流は、補助正特性サーミスタ１２３にスナップアクションバイメタル１２５をオフ状態に保持するための熱を発生させる程度の極めて小なるものであり、補助正特性サーミスタ１２３による消費電力は、従来の正特性サーミスタの消費電力よりも極めて少ない。
【００４１】
また、モータ１０７の定常運転中に、抵抗１２１は冷却して常温になっている。一方、補助正特性サーミスタ１２３は、熱容量が小さいため、冷却が早い。したがって、モータ１０７の停止直後に再起動する際にも、補助正特性サーミスタ１２３は直ぐ常温近くまで冷却される。その結果、再起動が可能になるまでの時間は、数秒から数十秒と非常に早く、従来技術のようにインターナルオーバロードプロテクター１１１が作動、復帰を繰り返すことなく速やかに再起動することができる。
【００４２】
さらに、従来使用していた正特性サーミスタの代わりに、常温時の正特性サーミスタの抵抗値と同等の抵抗１２１を入れたことにより、モータ１０７の設計を変更することなく、従来のモータ１０７のままで、安価な密閉型圧縮機の起動装置を提供することができる。
【００４３】
さらに、インターナルオーバロードプロテクター１１１を、主巻線１０７Ｍと補助巻線１０７Ｓの近傍に配置することにより、万が一、異常が発生した場合においても、インターナルオーバロードプロテクター１１１が、主巻線１０７Ｍと補助巻線１０７Ｓの温度を敏感に感知し、密閉形圧縮機を保護することが可能となる。したがって、より安全性の高い密閉型圧縮機の起動装置を提供することができる。
【００４４】
一方、抵抗１２１を省くことで、部品点数の削減がはかれ、さらに生産性が高く、安価な密閉型圧縮機の起動装置を提供することができる。
【００４５】
一方、起動装置１０１の回路を冷蔵庫の基盤に組み込み、モータの巻線近傍に取り付けられるインターナルオーバロードプロテクター１１１と組み合わせることで、従来の構成に比べてコンパクトに構成することができる。したがって、その起動装置の回路を冷蔵庫の基盤に組み込むことで、密閉型圧縮機が配置されている機械室を小さくでき、それにより、冷蔵庫の外観サイズはそのままで、冷蔵庫の庫内容積を増やすことができる。
【００４６】
（実施の形態２）
図２は、本発明の実施の形態２における密閉型圧縮機の起動装置の回路図である。
【００４７】
図２において、電源端子２５３、２５５は、単相交流電源２５１に接続されており、さらに、その一方の電源端子２５３は、運転スイッチ２５９を直列に介して電源線２５７に接続され、他方の電源端子２５５は、電源線２６１に接続されている。
【００４８】
モータ２０７は、主巻線２０７Ｍ及び補助巻線２０７Ｓを有するもので、その主巻線２０７Ｍは、インターナルオーバロードプロテクター２１１を直列に介して電源線２５７、２６１間に接続され、補助巻線２０７Ｓの一方の端子は、インターナルオーバロードプロテクター２１１を直列に介して電源線２５７に接続されている。
【００４９】
インターナルオーバロードプロテクター２１１は、バイメタル２４１と、バイメタル２４１を加熱するヒータ２４３とから成り、モータ２０７に過負荷が掛かると、ヒータ２４３の発熱と、モータ２０７の主巻線２０７Ｍ、及び補助巻線２０７Ｓの発熱により、バイメタル２４１が電流を遮断する。そして、その電流の遮断により常温まで温度が下がると、バイメタル２４１が自動復帰して通電を再開する。このモータ２０７は、密閉形圧縮機を駆動するようになっている。そして、運転スイッチ２５９は、例えば、図示しない温度制御装置によってオン、オフされるもので、冷蔵庫内の温度が、上限温度になるとオンし、下限温度になるとオフするようになっている。
【００５０】
補助巻線２０７Ｓの他方の端子は、抵抗２２１及び常閉形のトライアック２２５の直列回路を介して電源線２６１に接続されている。該抵抗２２１及びトライアック２２５と並列に、補助正特性サーミスタ２２３が接続されている。ここで、補助正特性サーミスタ２２３は、例えば、チタン酸バリウムを主成分とした酸化物半導体セラミックで構成され、キュリー温度をもち、電気抵抗値がこのキュリー温度から急激に増大する特性を有する。
【００５１】
そして、トライアック２２５のゲート端子２２５Ｇに、補助正特性サーミスタ２２３を通じてトリガ信号が印加されることにより、トライアック２２５が通電され、それによって、抵抗２２１を介して補助巻線２０７Ｓにモータ起動用電流が流れる。このようにして、モータ２０７の起動が完了した一定時間後には、補助正特性サーミスタ２２３が、その自己発熱に基づく抵抗値の上昇により、トライアック２２５のゲート端子２２５Ｇに加わる電流を小さくし、トライアック２２５をオフ状態とする。
【００５２】
以上のように構成された密閉型圧縮機の起動装置について、以下その動作、作用を説明する。
【００５３】
運転スイッチ２５９がオンされると、運転スイッチ２５９及びインターナルオーバロードプロテクター２１１を介して主巻線２０７Ｍと補助巻線２０７Ｓに起動電流が流れる。補助巻線２０７Ｓに起動電流が供給されると、トライアック２２５のゲート端子２２５Ｇに補助正特性サーミスタ２２３を通じてトリガ信号が印加され、トライアック２２５が通電される。それによって、抵抗２２１を介して補助巻線２０７Ｓに起動電流が流れ、モータ２０７は起動する。
【００５４】
モータ２０７の起動が完了した一定時間後には、補助正特性サーミスタ２２３が、その自己発熱に基づく抵抗値の上昇により、トライアック２２５のゲート端子２２５Ｇに加わる電流を小さくする。これにより、トライアック２２５はオフ状態となり、抵抗２２１には電流が流れなくなり、モータ２０７の起動が完了して定常運転を行なうようになる。
【００５５】
トライアック２２５がオフ状態となると、補助正特性サーミスタ２２３側には微小電流しか流れないため、トライアック２２５がオフ状態に保持される。
【００５６】
したがって、モータ２０７の定常運転中には、抵抗２２１には電流は流れず、代りに、補助正特性サーミスタ２２３側に電流が流れるようになる。この補助正特性サーミスタ２２３に流れる電流は、微小電流であり、補助正特性サーミスタ２２３による消費電力は従来の正特性サーミスタの消費電力よりも極めて少ない。
【００５７】
また、モータ２０７の定常運転中に、抵抗２２１は冷却されて常温になっている。一方、補助正特性サーミスタ２２３は、熱容量が小さいため、冷却が早い。したがって、モータ２０７の停止直後に再起動する際にも、補助正特性サーミスタ２２３は直ぐ常温近くまで冷却されるため、再起動が可能になるまでの時間は数秒から数十秒と非常に早い。したがって、従来技術のようにインターナルオーバロードプロテクター２１１が作動、復帰を繰り返すことなく速やかに再起動することができる。
【００５８】
さらに、従来使用していた正特性サーミスタの代わりに、常温時の正特性サーミスタの抵抗値と同等の抵抗２２１を入れたことにより、モータ２０７の設計を変更することなく従来のモータ２０７のままで、安価な密閉型圧縮機の起動装置を提供することができる。
【００５９】
さらに、インターナルオーバロードプロテクター２１１を、主巻線２０７Ｍと補助巻線２０７Ｓの近傍に配置することにより、万が一、異常が発生した場合においても、インターナルオーバロードプロテクター２１１が、主巻線２０７Ｍと補助巻線２０７Ｓの温度を敏感に感知し、密閉形圧縮機を保護する。その結果、より安全性の高い密閉型圧縮機の起動装置を提供することができる。
【００６０】
一方、抵抗２２１を省くことで、部品点数の削減がはかれ、さらに生産性が高く、安価な密閉型圧縮機の起動装置を提供することができる。
【００６１】
一方、起動装置２０１の回路を、冷蔵庫の基盤に組み込み、モータの巻線近傍に取り付けられるインターナルオーバロードプロテクター２１１と組み合わせることで、従来の構成に比べてコンパクトに構成することができる。したがって、その起動装置の回路を冷蔵庫の基盤に組み込むことで、密閉型圧縮機が配置されている機械室を小さくでき、それにより、冷蔵庫の外観サイズはそのままで、冷蔵庫の庫内容積を増やすことができる。
【００６２】
（実施の形態３）
図３は、本発明の実施の形態３における密閉型圧縮機の起動装置の回路図である。
【００６３】
図３において、電源端子３５３、３５５は、単相交流電源３５１に接続されており、さらに、その一方の電源端子３５３は、運転スイッチ３５９を直列に介して電源線３５７に接続され、他方の電源端子３５５は、電源線３６１に接続されている。
【００６４】
モータ３０７は、主巻線３０７Ｍ及び補助巻線３０７Ｓを有するもので、その主巻線３０７Ｍは、インターナルオーバロードプロテクター３１１を直列に介して電源線３５７、３６１間に接続され、補助巻線３０７Ｓの一方の端子は、インターナルオーバロードプロテクター３１１を直列に介して電源線３５７に接続されている。
【００６５】
インターナルオーバロードプロテクター３１１は、バイメタル３４１と、該バイメタル３４１を加熱するヒータ３４３とから成り、モータ３０７に過負荷が掛かると、ヒータ３４３の発熱と、モータ３０７の主巻線３０７Ｍ及び補助巻線３０７Ｓの発熱により、バイメタル３４１が電流を遮断する。そして、電流の遮断により常温まで温度が下がると、バイメタル３４１が自動復帰して通電を再開する。このモータ３０７は、密閉形圧縮機を駆動するようになっている。そして、運転スイッチ３５９は、例えば、図示しない温度制御装置によってオン、オフされるもので、冷蔵庫内の温度が、上限温度になるとオンし、下限温度になるとオフするようになっている。
【００６６】
補助巻線３０７Ｓの他方の端子は、常閉形の自己発熱・自己復帰スナップアクションバイメタル３２７の直列回路を介して電源線３６１に接続されている。
【００６７】
以上のように構成された密閉型圧縮機の起動装置について、以下その動作、作用を説明する。
【００６８】
運転スイッチ３５９がオンされると、運転スイッチ３５９及びインターナルオーバロードプロテクター３１１を介して、主巻線３０７Ｍと補助巻線３０７Ｓに起動電流が流れ、モータ３０７は起動する。
【００６９】
自己発熱・自己復帰スナップアクションバイメタル３２７に補助巻線３０７Ｓの起動電流が流れると、自己発熱・自己復帰スナップアクションバイメタル３２７は自己発熱する。そして、数秒後に、自己発熱・自己復帰スナップアクションバイメタル３２７は、温度を感知してオフ動作するようになり、補助巻線３０７Ｓと自己発熱・自己復帰スナップアクションバイメタル３２７の直列回路には電流が流れなくなる。したがって、モータ３０７の起動が完了し、定常運転を行なうようになる。
【００７０】
自己発熱・自己復帰スナップアクションバイメタル３２７は、一旦オフされ、冷却されると再びオンすることになるが、再び、自己発熱によりオフする。
【００７１】
このオン時間はきわめて短く、自己発熱・自己復帰スナップアクションバイメタル３２７による消費電力は、従来の正特性サーミスタの消費電力よりも極めて少ない。
【００７２】
さらに、従来使用していた正特性サーミスタの代わりに、自己発熱・自己復帰スナップアクションバイメタル３２７を入れたことにより、安価な密閉型圧縮機と密閉型圧縮機の起動装置を提供することができる。
【００７３】
また、インターナルオーバロードプロテクター３１１を主巻線３０７Ｍと補助巻線３０７Ｓの近傍に配置することにより、万が一、異常が発生した場合においても、インターナルオーバロードプロテクター３１１が、主巻線３０７Ｍと補助巻線３０７Ｓの温度を敏感に感知し、密閉形圧縮機を保護するしたがって、より安全性の高い密閉型圧縮機と密閉型圧縮機の起動装置を提供することができる。
【００７４】
一方、自己発熱・自己復帰スナップアクションバイメタル３２７を、冷蔵庫の基盤に組み込み、モータの巻線近傍に取り付けられるインターナルオーバロードプロテクター３１１と組み合わせることで、従来の構成に比べてコンパクトに構成することができる。したがって、その起動装置の回路を冷蔵庫の基盤に組み込むことで、密閉型圧縮機が配置されている機械室を小さくでき、それにより、冷蔵庫の外観サイズはそのままで、冷蔵庫の庫内容積を増やすことができる。
【産業上の利用可能性】
【００７５】
以上のように、本発明にかかる密閉型圧縮機の起動装置は、安価で、信頼性の高い密閉型圧縮機の起動装置を提供することができるので、家庭用冷蔵庫を初めとして、除湿機やショーケース、自販機等の冷凍サイクルを用いたあらゆる用途にも適用することができる。
【符号の説明】
【００７６】
１０１、２０１  起動装置
１０７、２０７、３０７  モータ
１０７Ｍ、２０７Ｍ、３０７Ｍ  主巻線
１０７Ｓ、２０７Ｓ、３０７Ｓ  補助巻線
１１１、２１１、３１１  インターナルオーバロードプロテクター
１２１、２２１  抵抗
１２３、２２３  補助正特性サーミスタ
１２５  スナップアクションバイメタル
２２５  トライアック
２２５Ｇ  ゲート端子
３２７  自己発熱・自己復帰スナップアクションバイメタル
１４１、２４１、３４１  バイメタル
１４３、２４３、３４３  ヒータ
１５１、２５１、３５１  単相交流電源
１５３、２５３、３５３  電源端子
１５５、２５５、３５５  電源端子
１５７、２５７、３５７  電源線
１５９、２５９、３５９  運転スイッチ
１６１、２６１、３６１  電源線
【図１】
2012222839.tif 000003
【図２】
2012222839.tif 000004
【図３】
2012222839.tif 000005
【図５】
2012222839.tif 000006
【図４】
2012222839.tif 000007